(57)【要約】【課題】輝度を向上させるための照明装置を提供する。【解決手段】バックライトアセンブリは光を射出するランプ５３と、光をガイドして射出する導光板５２と、ランプ５３を取り囲む形態で形成され、内側面には複数の突出部が形成され、ランプ５３から射出された光を拡散反射させて導光板に射出するランプリフレクタ５４を含み、液晶ディスプレーユニットは下部基板と、下部基板に対向する上部基板と、下部基板と上部基板間に充填された液晶層からなり、バックライトユニットから射出された光に応答して画像をディスプレーする。ランプ５３を取り囲むランプリフレクタの反射面に拡散反射を生じるエンボシングパターンを形成させることにより、液晶表示装置の輝度を向上させることができる。【選択図】　　　図３
2004127918.tif 000002
【特許請求の範囲】
【請求項１】
外部から提供される電力に応答して光を発生するランプと、
前記ランプを一部取り囲む形態で形成され、複数の突出部を有し前記ランプから射出された光を拡散反射させるランプリフレクタを含むことを特徴とする照明装置。
【請求項２】
前記照明装置は、
前記ランプの一端を収容し、第１貫通孔が形成された第１ランプホルダーと、前記第１貫通孔を経て前記ランプの第１電極部に第１電圧を供給するための第１電力供給ラインと、
前記ランプの他端を収容し、第２貫通孔が形成された第２ランプホルダーと、前記第２貫通孔を経て前記ランプの第２電極部に第２電圧を供給するための第２電力供給ラインとをさらに備えて、
前記ランプリフレクタは前記ランプと、前記第１及び第２ランプホルダーを各々一部取り囲む形態で形成され、内側面に形成された複数の突出部を通じて前記ランプから射出された光を拡散反射させて射出することを特徴とする請求項１に記載の照明装置。
【請求項３】
前記ランプリフレクタはしわを寄せたシートの形状を有し、前記突出部は前記ランプ側に向かうしわにより提供されるライン形状のものであることを特徴とする請求項１に記載の照明装置。
【請求項４】
前記突出部の形状は先端が鋭くなった形状であることを特徴とする請求項１に記載の照明装置。
【請求項５】
前記突出部の形状はラウンド形状であることを特徴とする請求項１に記載の照明装置。
【請求項６】
前記突出部はランプが配列される方向と一定角度を有するように形成されることを特徴とする請求項３に記載の照明装置。
【請求項７】
前記ランプリフレクタに形成される複数の個々の突出部の直径及び高さは各々同一であり、前記突出部は規則的に分布配列されることを特徴とする請求項１に記載の照明装置。
【請求項８】
前記ランプリフレクタに形成される複数の個々の突出部の直径及び高さは各々相異し、前記突出部は不規則的に分布配列されることを特徴とする請求項１に記載の照明装置。
【請求項９】
前記ランプリフレクタの内周面には光反射率を高めるために高反射率の物質のコーティング層が形成されることを特徴とする請求項１に記載の照明装置。
【請求項１０】
前記コーティング層は銀またはチタンからなることを特徴とする請求項９に記載の照明装置。
【請求項１１】
光を射出するランプと、
前記光をガイドして射出する導光板と、
前記ランプを取り囲む形態で形成され、内側面には複数の突出部が形成され、前記ランプから射出された光を拡散反射させて前記導光板に射出するランプリフレクタとを含むことを特徴とするバックライトアセンブリ。
【請求項１２】
前記ランプリフレクタは前記導光板の下部面の一部と、上部面の一部との結合により形成された空間に前記ランプを収容することを特徴とする請求項１１に記載のバックライトアセンブリ。
【請求項１３】
前記バックライトアセンブリは前記導光板を透過した光を反射するための反射シートをさらに備え、
前記反射シートは前記導光板の下部に固定されることを特徴とする請求項１１に記載のバックライトアセンブリ。
【請求項１４】
前記バックライトアセンブリは前記導光板を通じて透過した光の輝度を調節するための光学シート類をさらに備え、
前記光学シート類は前記導光板上に定着されることを特徴とする請求項１１に記載のバックライトアセンブリ。
【請求項１５】
前記バックライトアセンブリは、
前記ランプの一端を収容し、第１貫通孔が形成された第１ランプホルダーと、前記ランプの他端を収容し、第２貫通孔が形成された第２ランプホルダーと、前記第１貫通孔を経て前記ランプの第１電極部に第１電圧を供給するための第１電力供給ラインと、
前記第２貫通孔を経て前記ランプの第２電極部に第２電圧を供給するための第２電力供給ラインをさらに備えることを特徴とする請求項１１に記載のバックライトアセンブリ。
【請求項１６】
前記バックライトアセンブリは、第１乃至第４側壁からなり前記ランプと導光板とランプリフレクタとを収納するための収納容器をさらに備え、前記ランプの端部と最も近接する側壁のうちのいずれか一つの側壁には、前記ランプとランプリフレクタをそれらの挿入に際しガイドするためのガイド部が形成されたことを特徴とする請求項１１に記載のバックライトアセンブリ。
【請求項１７】
光を射出するランプと、前記光をガイドして射出する導光板と、前記ランプを取り囲む形態で形成され、内側面には複数の突出部が形成され、前記ランプから射出された光を拡散反射させて前記導光板に射出するランプリフレクタと、を含むバックライトユニットと、
下部基板と、前記下部基板に対向する上部基板と、前記下部基板と上部基板間に充填された液晶層からなり、前記バックライトユニットから射出された光に応答して画像をディスプレーする液晶表示ユニットと、を含むことを特徴とする液晶表示装置。
【請求項１８】
前記ランプリフレクタはしわを寄せたシートの形状を有し、前記突出部は前記ランプ側に向かうしわにより提供されるライン形状のものであることを特徴とする請求項１７に記載の液晶表示装置。
【請求項１９】
前記突出部の形状は先端が鋭くなった形状であることを特徴とする請求項１７に記載の液晶表示装置。
【請求項２０】
前記突出部の形状はラウンド形状であることを特徴とする請求項１７に記載の液晶表示装置。
【発明の詳細な説明】
【０００１】
【発明の属する技術分野】
本発明は照明装置とこれを有するバックライトアセンブリ及び液晶表示装置に関するものであり、より詳細には、輝度を向上させるための照明装置とこれを有するバックライトアセンブリ及び液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度化などの機能を有する液晶表示装置の開発が進んでいる。
【０００４】
液晶表示装置は、液晶の特定の分子配列に電圧を印加して異なる分子配列へ変換させ、このような分子配列により発揮される液晶セルの複屈折性、旋光性、２色性及び光散乱特性などの光学的性質の変化を視覚変化へ変換することで、液晶セルによる光の変調を利用したディスプレーである。
【０００５】
液晶表示装置（以下、ＬＣＤ）は、自己発光をしないために、ＬＣＤパネルを透過した外部光を反射させて情報を表示し、またはＬＣＤパネルの背面に別途の光源、即ちバックライトアセンブリを設けて情報を表示する。
【０００６】
このようなバックライトアセンブリは、光を発散させるランプユニット、ランプユニットから発散された光をＬＣＤパネル側にガイドする導光板、導光板の下部に備えられて漏洩する光を導光板に反射させる反射板（または、ランプリフレクタ）、導光板から伝達された光の輝度を上昇させる光学シート類を含む。
【０００７】
一般に、バックライトアセンブリはランプユニットの配列位置により、ランプユニットが両側部に備えられるフラット（平坦）タイプと、ランプユニットの一側部に備えられるウェッジ（傾斜）タイプに区分される。
【０００８】
図１は一般のフラットタイプのバックライトアセンブリを説明するための図面である。
【０００９】
図１に示すように、フラットタイプの導光板１０の両側部には光の漏洩を遮断するランプリフレクタ１２ａ、１２ｂの内側に備えられるランプユニット１４ａ、１４ｂが設けられ，導光板１０はそこから光の提供を受けて拡散シート１６にガイドする。この時、導光板１２の下部に漏洩する光を再反射させるために、別途の反射板１８を備える。
【００１０】
現在のバックライトアセンブリに備えられる導光板は、ポリメチルメタアクリレート（ＰＭＭＡ：Ｐｏｌｙｍｅｔｈｙｌ　Ｍｅｔｈａｃｒｙｌａｔｅ）または環状オレフィンポリマ（ＣＯＰ：Ｃｙｃｌｉｃ　Ｏｌｅｆｉｎ　Ｐｏｌｙｍｅｒ）のような高分子物質を材料とするために、その密度が高く、これによりＬＣＤモジュールを構成するいろいろな構成要素のうち、一番大きい重さの部分を占める。特に、ノートブックコンピュータのように、重さや厚さのファクターが重要な液晶表示装置ではフラットタイプより軽量であるウェッジタイプの導光板を利用することの重要性が高い。
【００１１】
図２は一般のウェッジタイプのバックライトアセンブリを説明するための図面である。
【００１２】
図２に示すように、一般のウェッジタイプの導光板２０の一側部には、光の漏洩を遮断するランプリフレクタ２２の内側に備えられるランプユニット２４が設けられ、導光板２０はそこから光の提供を受けて拡散シート２６にガイドする。
この時、導光板２０の下部に漏洩する光を再反射させるために別途の反射板２８を備える。
【００１３】
しかし、鏡面反射特性のみを有するランプリフレクタを用いるバックライトアセンブリでは輝度を向上させることに限界がある。
【００１４】
【発明が解決しようとする課題】
本発明の目的は、ランプリフレクタの反射面にエンボシング形態のパターンを有する照明装置を提供することにある。
【００１５】
本発明の他の目的は、前記した照明装置を有するバックライトアセンブリを提供することにある。
【００１６】
また、本発明の他の目的は、前記したバックライトアセンブリを有する液晶表示装置を提供することにある。
【００１７】
【課題を解決するための手段】
上述した目的を達成するための本発明による照明装置は、外部から提供される電力に応答して光を発生するランプと、前記ランプを一部取り囲む形態で形成され、複数の突出部を有し前記ランプから射出された光を拡散反射させるランプリフレクタを含む。
【００１８】
上述した目的を達成するための本発明によるバックライトアセンブリは、光を射出するランプと、前記光をガイドして射出する導光板と、前記ランプを取り囲む形態で形成され、内側面には複数の突出部が形成され、前記ランプから射出された光を拡散反射させて前記導光板に射出するランプリフレクタとを含む。
【００１９】
上述した目的を達成するための本発明による液晶表示装置は、光を射出するランプと、前記光をガイドして射出する導光板と、前記ランプを取り囲む形態で形成され、内側面には複数の突出部が形成され、前記ランプから射出された光を拡散反射させて前記導光板に射出するランプリフレクタを含むバックライトユニットと、下部基板と、前記下部基板に対向する上部基板と、前記下部基板と上部基板間に充填された液晶層からなり、前記バックライトユニットから射出された光に応答して画像をディスプレーする液晶表示ユニットとを含む。
【００２０】
このような照明装置とこれを有するバックライトアセンブリ及び液晶表示装置によると、ランプを取り囲むランプリフレクタの反射面に拡散反射を生ぜしめるラウンド形状またはウェッジ形状などの突出部を形成させることにより、液晶表示装置の輝度を向上させることができる。
【００２１】
【発明の実施の形態】
以下、図面を参照して本発明の望ましい一実施形態をより詳細に説明する。
【００２２】
図３は本発明の一実施形態によるバックライトアセンブリを説明するための図面である。
【００２３】
図３に示すように、本発明の一実施形態によるバックライトアセンブリ５０は導光板５２、導光板５２の側部に配置され光を発散するランプ５３、ランプ５３から発散された光を導光板５２に反射するランプリフレクタ５４、導光板５２の下部に配置され導光板５２から漏洩する光を導光板５２に反射する反射板５５及び導光板５２の上部に配置され導光板５２を通じてガイドされた光の輝度を調節して射出する光学シート類５６とを含む。
【００２４】
ランプリフレクタ５４はステンレスティール材質の物質またはステンレススティールより柔らかな特性を有する真鍮からなり、ランプ５３の一部を取り囲む形態で形成され、内側面には複数の突出部が形成されてランプ５３から射出された光を拡散反射させる。
【００２５】
ここで、ランプリフレクタ５４はランプを収容する内側面、即ち、反射面がラウンド形状（丸みを持った形状）の突出部を有し、ランプ５３から発散された光を拡散させるものとして説明した。勿論、このようなラウンド形状の反射面はランプリフレクタ５４の外側面から内側面にプレス工程などを通じて一定な物理的力を加えて形成することにより得ることができる。
【００２６】
ランプリフレクタ５４に形成されるラウンド形状の突出部は、各々が互いに同じ直径でかつ各々が高さが同一であるように形成し、複数の突出部の配列は規則的に配列されるように形成することができる。尚、ここで用いる直径及び高さとは、シート形状の平板を基準にして突出された形状の平板に対して描く（平板に垂直方向から見たとき）直径及び平板からの高さである。
【００２７】
また、ランプリフレクタ５４に形成されるラウンド形状の突出部は直径及び高さを各々相異するように形成し、複数の突出部の配列も不規則的に配列されるように形成することもできる。
【００２８】
また、ランプリフレクタ５４に形成される突出部の形状は、ランプリフレクタ５４の内側面である基準反射面に平行に切った断面で見て円形、楕円、三角形、四角形及び五角形などの多様な形状を有することができ、上部面に行くほど段々その大きさは減少される形状を有することが望ましい。ここで、基準反射面（Ｒ−Ｒ′）は突出部を形成する以前のランプリフレクタの反射面である。
【００２９】
また、反射効率を高めるためにランプリフレクタ５４の反射面に銀やチタンなどのように反射効率が高い材質をコーティング処理することにより、バックライトアセンブリで要求する高輝度を充足させることができる。ここで、プレス工程後にコーティング処理をすることもでき、コーティング処理後プレス工程をすることもできる。勿論、コーティング処理されたランプリフレクタ加工用材質を使用する場合には、このようなコーティング工程を省略することもできる。
【００３０】
反射板５５は導光板５２の下部に配置され、導光板５２から漏洩する光を導光板に再反射する。このような反射板５５は反射効率が高い材質からなることが望ましい。勿論、本発明ではシートタイプにより構成してフレキシブルである例をとったが、プレートにより構成して剛性タイプとすることもできる。
【００３１】
光学シート類５６は拡散シート、複数のプリズムシート及び保護シートなどからなり、導光板から射出された光の輝度を調節して上部に配置される液晶表示パネル（図示せず）に提供する。
【００３２】
図４は本発明の他の実施形態によるバックライトアセンブリを説明するための図面である。
【００３３】
図４に示すように、本発明の他の実施形態によるバックライトアセンブリ６０は導光板６２、導光板６２の側部に配置され光を発散するランプ６３、ランプ６３から発散された光を導光板６２に反射するランプリフレクタ６４、導光板６２の下部に配置され導光板６２から漏洩した光を導光板６２に反射する反射板６５及び導光板６２の上部に配置され導光板６２を通じて射出された光の輝度を調節して射出する光学シート類６６を含む。
【００３４】
ランプリフレクタ６４はランプ６３を収容する内側面がウェッジ形状（側壁が平坦あるいはその母線が直線的で先端に行くに従い断面形状が小さくなる）の突出部を有し、ランプ６３から発散された光を拡散させる。勿論、このようなウェッジ形状の反射面はランプリフレクタ６４の内側面で外側面にプレス工程などを通じて一定な物理的な力を加えて形成することにより得ることができる。
【００３５】
ランプリフレクタ６４に形成されるウェッジ形状の突出部は、直径及び高さを各々同一であるように形成し、複数の突出部の配列は規則的に配列されるように形成することができる。
【００３６】
また、ランプリフレクタ６４に形成されるウェッジ形状の突出部は直径及び高さ各々相異するように形成し、複数の突出部の配列も不規則的に配列されるように形成することもできる。
【００３７】
また、ランプリフレクタ６４に形成される突出部の形状はランプリフレクタ６４の内側面である基準反射面に平行に切った断面で見て円形、楕円、三角形、四角形及び五角形などの多様な形状を有することができ、上部面に行くほど段々その大きさは減少される形状を有することが望ましい。ここで、基準反射面は突出部を形成する以前のランプリフレクタ６４の反射面である。
【００３８】
また、反射効率を高めるためにランプリフレクタ６４の反射面に銀やチタンなどのように反射効率が高い材質をコーティング処理することにより、バックライトアセンブリで要求する高輝度を充足させることもできる。ここで、プレス工程後にコーティング処理をすることもでき、コーティング処理後プレス工程をすることもできる。
【００３９】
反射板６５は導光板の下部に配置され、導光板５２から漏洩する光を導光板に再反射する。このような反射板６５は反射効率が高い材質からなることが望ましい。ここではシートタイプにより構成してフレキシブルである例をとって説明しているが、プレートにより構成して剛性を有するようにすることもできる。
【００４０】
光学シート類６６は拡散シート、複数のプリズムシート及び保護シートなどからなり、導光板からガイドされた光の輝度を調節して上部に配置される液晶表示パネル（図示せず）に提供する。
【００４１】
図５乃至図８は、本発明によるランプリフレクタの多様な実施形態を説明するための図面である。
【００４２】
図５に示すように、本発明によるランプリフレクタ５４ａは全体として円形断面を有するよう曲面とされそこに突出部が形成されたサイド部（５４ａ−１）と、導光板の上部面と接するようにサイド部（５４ａ−１）の最外縁の一方（上方縁）から第１の長さ（Ｌ１）ほど延び、突出部が形成された第１結合部（５４ａ−２）と、導光板の下部面または反射板の下部面と接するようにサイド部（５４ａ−１）の最外縁の他方（下方縁）から第１の長さ（Ｌ１）より大きい第２の長さ（Ｌ２）ほど延び、突出部が形成された第２結合部（５４ａ−３）からなる。
このように、第１結合部（５４ａ−２）の長さを第２結合部（５４ａ−３）の長さより短く構成することは、ランプが収容された状態で導光板を上部から容易にスライディングさせてランプリフレクタに収納できるようにするためである。
【００４３】
前述した図面上では、ランプリフレクタの全面に突出部を形成することを示した。ここで、ランプリフレクタと接する導光板の上部面と下部面には形成された突出部の形状に相補的に凹所を形成することが望ましい。勿論、導光板の形状をフラットタイプにする場合には導光板と接する面、即ち第１及び第２結合部の所定の面には、突出部を形成せずに、フラット形状にすることが望ましい。
【００４４】
また、図６に示すように、本発明によるランプリフレクタ５４ｂは全体としては平坦にしたサイド部（５４ｂ−１）と、導光板の上部面と接するようにサイド部（５４ｂ−１）の一側から第１の長さ（Ｌ１）ほど延びた第１結合部（５４ｂ−２）と、導光板の下部面または反射板の下部面と接するようにサイド部（５４ｂ−１）の他側から第１の長さ（Ｌ１）より大きい第２の長さ（Ｌ２）ほど延びた第２結合部（５４ｂ−３）からなる。ここで、サイド部（５４ｂ−１）、第１結合部（５４ｂ−２）及び第２結合部（５４ｂ−３）にはランプから発散された光を拡散反射させるために突出部が形成される。
【００４５】
また、図７に示すように、本発明の他の実施形態のランプリフレクタ５４ｃはランプが配列される方向と平行な方向にしわを寄せたシート形態で形成されたライン状の突出部を拡散反射手段として利用する。勿論、形成される突出部はランプリフレクタの外側から内側にプレス加工して形成することもでき、ランプリフレクタの内側から外側にプレス加工して形成することもできる。
【００４６】
ランプリフレクタが導光板の上部と下部に締結される構造を有する場合には、第１及び第２結合部（５４Ｃ−２、５４ｃ−３）の導光板と接する部分には突出部を形成しないことが望ましい。しかし、ランプリフレクタの全面に対して突出部を形成する場合には、突出部に相補的にランプリフレクタが接する導光板の縁部の面にも突出部を形成することが望ましい。
【００４７】
また、図８に示すように、本発明の他の実施形態のランプリフレクタ５４ｄは、ランプが配列される方向と垂直な方向にしわを寄せたシート形態で形成されたライン状の突出部を拡散反射手段として利用する。勿論、形成される突出部はランプリフレクタの外側から内側にプレス加工して形成することもでき、ランプリフレクタの内側で外側にプレス加工して形成することもできる。
【００４８】
ランプリフレクタが導光板の上部と下部に締結される構造を有する場合には、第１及び第２結合部（５４ｄ−２、５４ｄ−３）の導光板と接する部分には突出部を形成しないことが望ましい。しかし、ランプリフレクタの全面に対して突出部を形成する場合には、形成された突出部に相補的にランプリフレクタが接する導光板の縁部の面にも突出部を形成することが望ましい。
【００４９】
一方、図示しなかったが、ランプが配列される方向と一定角度を有するように形成した突出部を拡散反射手段に利用することもできる。
【００５０】
以上で説明した他にも、本発明によるランプリフレクタは多様な形態のサイド部を有するように構成することができ、導光板の上部面と下部面に各々対応する第１及び第２結合部の長さも同一に構成することができ、また相異するように構成することもできる。
【００５１】
また、ランプリフレクタの反射面の突出部の形状もラウンド形状やウェッジ形状を有するように、またこれら突出部が不連続の個々の突出部が分散されるようにも、あるいは図７，８のようにライン状になるようにも多様な形態に構成することができる。また、ラウンド形状やウェッジ形状も基準反射面に垂直に見た全体的な形状が円形、三角形、四角形など多様な形状を有するように構成することができる。
【００５２】
図９は本発明による照明装置を説明するための図面である。
【００５３】
図９に示すように、本発明による照明装置７０はランプ７１、第１及び第２ランプホルダー７２ａ、７２ｂ、第１及び第２電力供給ライン７３ａ、７３ｂ、コネクタ７４及びランプリフレクタ７５とを含む。
【００５４】
ランプ７１は第１及び第２電力供給ライン７３ａ、７３ｂを経て印加される電力に応答して光を発生する。ここで、ランプは管内電極蛍光ランプ、または管外電極蛍光ランプであることができる。また、ランプ７１の一側端が高電圧の第１電圧の供給を受けるホット電極であると、ランプ７１の他側端は低電圧の第２電圧の供給を受けるコールド電極である。
【００５５】
第１ランプホルダー７２ａはランプ７１の一端、即ち第１電極部を収容し、第２ランプホルダー７２ｂはランプ７１の他端、即ち第２電極部を収容する。ここで、ランプが管内電極蛍光ランプであると、第１電極部や第２電極部はランプチューブの外側に引き出されたリードであり、管外電極蛍光ランプであると、第１電極部や第２電極部はランプチューブの外側を取り囲む一種のランプソケットである。
【００５６】
第１電力供給ライン７３ａは、第１ランプホルダー７２ａに形成された貫通孔を経てランプ７１の第１電極部に第１電圧を供給し、第２電力供給ライン７３ｂは第２ランプホルダー７２ｂに形成された貫通孔を経てランプ７１の第２電極部に第２電圧を供給する。
【００５７】
図面上では、高電圧を伝達する第１電力供給ライン７３ａが低電圧を伝達する第２電力供給ライン７３ｂより短く形成されていることを示した。その理由は、第１電力供給ライン７３ａを長く形成すると、高電圧を伝達する第１電力供給ライン７３ａから発生される高熱により周辺回路素子が損傷される可能性があるためである。
【００５８】
また、第１電力供給ライン７３ａと第２電力供給ライン７３ｂは相異する色で形成することが望ましく、第２電力供給ラインはランプリフレクタ７５の外周面に沿って配列することが望ましく、ここで所定の接着剤などを通じてランプリフレクタの外周面に第２電力供給ライン７３ｂを取付させることが望ましい。
【００５９】
コネクタ７４は第１電力供給ライン７３ａとの連結のための第１コネクタ７４ａと、第２電力供給ライン７３ｂとの連結のための第２コネクタ７４ｂからなり、図示しなかったインバータとの連結を通じて第１及び第２電圧の提供を受けて第１及び第２電力供給ライン７３ａ、７３ｂを通じて、ランプ７１に電力を供給する。勿論、図面上ではプラグタイプのコネクタを示したが、ソケットタイプのコネクタも可能である。
【００６０】
ランプリフレクタ７５はランプ７１と、第１及び第２ランプホルダー７２ａ、７２ｂを各々一部取り囲む形態で形成され、内側面には複数の突出部（図９のものはエンボス加工され個々のものが分散したもの）が形成されランプ７１から射出された光を拡散反射させる。
【００６１】
以上では液晶表示装置に用いられるバックライトアセンブリ用ランプアセンブリについて説明したが、広く使用されている各種照明装置にも適用することができる。その一例として、家庭用または産業用ランプの後面に配置され、反射効率を高めるために用いられるランプリフレクタに鏡面反射の作用をする反射面代りに拡散反射を行うエンボシングパターンを形成することにより、光輝度を上昇させることができる。
【００６２】
図１０は本発明による液晶表示装置を説明するための分解斜視図である。
【００６３】
図１０に示すように、本発明による液晶表示装置は光を発生するバックライトアセンブリ１００、モールドフレーム２００、液晶ディスプレーユニット３００、リアケース４００、トップシャーシ５００及びフロントケース６００を含む。
【００６４】
バックライトアセンブリ１００は光を発生させるためのランプ７１、ランプを取り囲む形態で形成されてランプから発散された光を導光板に反射するランプリフレクタ７５、光を液晶ディスプレーユニット３００側に案内するよう光の経路を変更するための導光板１１０、導光板１１０から射出される光の輝度を均一にするための光学シート類１５０及び導光板１１０の下で導光板１１０から漏洩する光を導光板１１０に反射させて光の効率を高めるための反射板１４０を含む。
【００６５】
モールドフレーム２００は４個の側壁と、モールドフレームの底面に形成され一部開口されたリブからなり、バックライトアセンブリ１００を収納する。ここで、モールドフレーム２００を形成する４個の側壁は完全に閉鎖された空間を作るごとく開放部分なしにバックライトアセンブリを収納する。しかし、再組立工程をさらに容易にするためにランプ７１の端部と最も近接する側壁のうちのいずれか一つの側壁にランプ７１とランプリフレクタ７５の着脱を容易にするための開口を形成することもできる。勿論、ここで形成された開口はランプアセンブリをスライディング式に挿入するためである。
【００６６】
液晶ディスプレーユニット３００は公知のように、バックライトアセンブリ１００の上部に配置されバックライトアセンブリ１００から射出される光により画像を表示する。ここで、液晶ディスプレーユニット３００は液晶表示パネル３１１、ゲート及びデータＰＣＢ（プリンティッドサーキットボード）３１２、３１３、ゲート及びデータテープキャリアパッケージ３１４、３１５を含む。
【００６７】
リアケース４００は公知のように、フロントケース６００との締結を通じてバックライトアセンブリ１００と液晶ディスプレーユニット３００を収納するモールドフレーム２００を収納し、トップシャーシ５００はフロントケース６００と液晶ディスプレーユニット３００間に配置される。
【００６８】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００６９】
【発明の効果】
本発明によると、エッジ型バックライトアセンブリに用いられるランプリフレクタの反射面にエンボシングパターンを形成することにより、ランプから発散された光を拡散反射させることができるので、拡散板の効率を増進させることができる。また、ランプリフレクタの反射面に高反射率のコーティング層をさらに備えて反射及び拡散効率をさらに高めることができる。
【００７０】
また、家庭用または産業用ランプの後面に配置されるランプリフレクタに拡散反射を生ぜしめる突出部を形成することにより、光輝度を上昇させることができる。
【図面の簡単な説明】
【図１】一般的なフラットタイプのバックライトアセンブリを説明するための図面である。
【図２】一般的なウェッジタイプのバックライトアセンブリを説明するための図面である。
【図３】本発明の一実施形態によるバックライトアセンブリを説明するための図面である。
【図４】本発明の他の実施形態によるバックライトアセンブリを説明するための図面である。
【図５】本発明によるランプリフレクタの多様な形態を説明するための図面である。
【図６】本発明によるランプリフレクタの多様な形態を説明するための図面である。
【図７】本発明によるランプリフレクタの多様な形態を説明するための図面である。
【図８】本発明によるランプリフレクタの多様な形態を説明するための図面である。
【図９】本発明による照明装置を説明するための図面である。
【図１０】本発明による液晶表示装置を説明するための分解斜視図である。
【符号の説明】
１０、２０、５２、６２　　導光板
１２ａ、１２ｂ、５４、６４、　　ランプリフレクタ
１４ａ、１４ｂ、７１　　ランプ
１６、２６　　拡散シート
１８、２８、５５、６５　　反射板
５６、６６　　光学シート類
７２ａ、７２ｂ　　ランプホルダー
７３ａ、７３ｂ　　電力供給ライン
７４　　コネクタ
５０、６０、１００　　バックライトアセンブリ
２００　　モールドフレーム
３００　　液晶ディスプレーユニット
４００　　リアケース
５００　　トップシャーシ
６００　　フロントケース
【図１】
2004127918.tif 000003
【図２】
2004127918.tif 000004
【図３】
2004127918.tif 000005
【図４】
2004127918.tif 000006
【図５】
2004127918.tif 000007
【図６】
2004127918.tif 000008
【図７】
2004127918.tif 000009
【図８】
2004127918.tif 000010
【図９】
2004127918.tif 000011
【図１０】
2004127918.tif 000012